(57)【要約】      （修正有）【課題】道路の排水施設として門形側溝の内底に、必要に応じて、調整コンクリートを打つ勾配調整容易な自由勾配兼用側溝の底部形成フレームを提供する。【解決手段】フレーム１は、側溝底部に断続して条溝５Ａを形成するもので両側下部には門形側溝を載置するフーチング４を設けてあり、まず上面を道路に合わせて基礎３０の上に固定勾配でフレームを布設する。そして門形側溝本体３をフレーム両側フーチング４、その上にライナー１７モルタル１８を介して連続載置する。自由勾配施工の場合には、さらに内底部へ排水勾配に合わせて調整コンクリート１０を打設し、自由勾配側溝を構築する。【選択図】図４
0003179974.tif 000002
【実用新案登録請求の範囲】
【請求項１】
底部両側のフーチング上に門型側溝本体を載置する構造の道路側溝において、固定勾配断面と併用し、必要に応じ調整コンクリートをあと打ちし、自由勾配断面とする底部形成フレームであって、通水内底フレーム面に直線の条溝を水流方向に沿って複数配列し櫛歯状断面部とした自由勾配兼用フレーム。
【請求項２】
底部両側のフーチング上に門型側溝本体を載置する構造の道路側溝において、固定勾配断面の内底に、必要に応じ調整コンクリートをあと打ちし、自由勾配断面とする底部形成フレームであって、通水内底フレーム面を粗面とした自由勾配兼用フレーム。
【考案の詳細な説明】
【技術分野】
【０００１】  本考案は、道路の排水施設として門形側溝の内底に必要に応じて調整コンクリートを打つ自由勾配兼用側溝の底部形成フレームに関する。
【背景技術】
【先行技術文献】
【０００２】  従来、自由勾配側溝は門形で無底のプレキャストコンクリート側溝ブロックを用い、現場打ベースコンクリート上に布設してから内底部を必要な水路勾配に形成するため一定厚さ以上の調整コンクリートを蓋掛け用開口部から現場打する工法が用いられている。
この場合、門形側溝内壁が垂直面のため調整コンクリートは最小厚さ５ｃｍ程度としても両側と現場打ベースコンクリート仕上げの内底面とで拘束されて安定する。
一方、先行して設置する側溝底部を直接基礎材上にベースコンクリートを省略して単一のプレキャストフレームで形成する固定勾配工法、さらに門型側溝本体載置部分に高さ調整コンクリートを介在させる自由勾配工法も普及しており、底面の形状をインバート曲面、平面や低水部の幅を縮小した複合断面等適宜に選択できるものであるが、側溝本体の高さ調整コンクリート打設の必要があり作業工程上コンクリート硬化待ちのロスが生ずる。
これに対し、フレーム上に側溝本体を直截し、側溝内底面に勾配調整コンクリート打ちすることが出来れば前記ロスが生じないのであるが、フレーム面がプレキャストによる磨面で側溝内底は現場打ちベースコンクリート工法よりも調整コンクリート打継の付着が安定せず、とくに最小厚さ５ｃｍ近くでは門形側溝内壁が垂直面であっても拘束が十分でなく維持管理におけるスコップの衝撃等で剥離滑脱が生じたり圧水噴射清掃にも適合しないことがあり、普及するに至っていない。
【０００３】
【特許文献１】  特開２０００−２７２７７号公報
【考案の概要】
【考案が解決しようする課題】
【０００４】  先行して側溝底部を直接基礎材上に単一のプレキャストフレームで形成したフレーム両側のフーチング上に門形側溝本体を載置し、必要に応じ側溝内底のフレーム面に勾配調整コンクリート打ちする工法によるもので、ベースコンクリートを省略し作業工程上コンクリートの硬化待ちが無く、フレーム面へのあと打ち調整コンクリートが水流による浮力や維持管理時の衝撃に対して安定した付着が得られるとともに側溝延長内に調整コンクリートの有無が混在しても支障がないものとする。
そして上面に開口部があっても調整コンクリート仕上げ作業が困難な深い門形側溝でも勾配調整を容易とし、さらに上部開口のない門形側溝の調整コンクリート打設と自由勾配形成をも可能とする底部形成フレームを得ることである。
【課題を解決するための手段】
【０００５】  前記課題を解決するため本考案の底部形成フレームの構造は、
通水内底となるフレーム面の全長にわたり、直線の条溝を水流沿いに複数配列して櫛歯状断面部を形成し、付着面積の増加と併せ櫛歯状喰込みによってあと打ち調整コンクリート全体との付着とグリップを安定向上させるものである。
条溝は通水内底となるフレーム面の全幅内に左右対称に配置されるが、側溝の上下流向きに関係なく布設後の側溝延長に沿って連続ないし断続するものとし、調整コンクリート打の無い場合の内底面では条溝が水流に沿って通水を阻害することなく通水能力が維持されるものである。
【０００６】  また、通水底面となるフレーム面を荒目モルタル仕上げ、ゼロスランプコンクリート仕上げないし凸か凹のドット集合状等とする粗面に形成し、付着面積も増加せしめてあと打ちコンクリートとの付着とグリップを安定向上させるとともに調整コンクリート打の無い場合の内底面も粗面自体が調整コンクリート現場打仕上面の粗度に近いものとする。
【０００７】  上部に開口のない門形側溝における調整コンクリートの打設と自由勾配形成には、あらかじめ個別フレーム面かフレーム布設後側溝内底全長に沿って調整勾配の高さに埋設定規を固定するか調整コンクリート帯を先行形成し、門形側溝据付接合と同時に一方の開口端からコンクリートを投入打設し、その都度埋設定規ないし調整コンクリート帯に合せて仕上げることで側溝ブロック１個設置毎に自由勾配を形成し、順次連続して全体を完成させる。
【考案の効果】
【０００８】  基礎材の上にフレームを布設するためベースコンクリートが不要で工期が短縮する。
自由勾配施工において、調整コンクリートとの付着とグリップが向上し、浮力に対しても安定し、さらに維持管理に適合した側溝構造となる。
【０００９】  複数の条溝によって、調整コンクリートを根入碇着する側溝の内底は凹凸の櫛歯状断面でありながら水流を阻害しないので、側溝延長内で調整コンクリート打の有無が混在しても支障が生じない。
またフレーム面を粗面形成とする場合も水流を阻害することなく通水能力が維持される。
【００１０】  調整コンクリート打設、勾配整形が困難な深い側溝の作業が容易となる。さらに上面開口のない側溝でも自由勾配形成作業が可能となる。
【００１１】  本考案によるフレーム面の条溝や粗面の形成は従来通りの製造工程のためコストアップがない。
【図面の簡単な説明】
【００１２】
【図１】  底部にプレキャストフレームを用いた自由勾配側溝の実施例を示す切欠斜面図である。
【図２】  図１のＡ−Ａ線にそった断面図である。
【図３】  図１の実施例におけるフレームの斜面図である。
【図４】  通水内底フレーム面の全長に沿って勾配調整の高さに埋設定規を固定した底部形成の実施例を示す断面図である。
【図５】  通水内底フレームの全長に沿って勾配調整の高さに調整コンクリート帯を形成した底部の実施例を示す断面図である。
【図６】  プレキャストフレームの他の実施例を示す斜面図である。
【考案を実施するための形態】
【００１３】  通常１ないし数種類の門形側溝を適宜に用いて側溝延長全体の落差を構成するものであるが、側溝本体の設置に先行し基礎材上に本体と同じ長さのフレームを布設する。
しかるのち、フレーム両側のフーチング上に門形側溝本体を載置するが、門形側溝はおおむね通水断面が内幅３０〜４０ｃｍ、内壁垂直、内高１０ｃｍ刻みで３０〜１２０ｃｍ、側壁は外圧荷重に対応した厚みを有している。
長さは２ｍ等とするプレキャストコンクリートで供給され、フレーム上に敷モルタルを施し固定勾配施工で布設する。
自由勾配施工ではその通水断面内底フレーム面に厚さを最小５〜最大１５ｃｍ程度の調整コンクリートをあと打ちするもので、最小厚さ５ｃｍは碇着基部となりそれ以上の１５ｃｍまでが高さ調整分となる。
【００１４】  固定断面と併用し必要に応じ調整コンクリートをあと打ちする本考案の側溝は通水内底フレーム面の全長にわたり直線の条溝を水流方向に沿って複数配列して櫛歯状断部を形成するものは条溝の断面をおおむね上幅１０〜１５ｍｍ深さ１０〜１５ｍｍの台形、Ｖ形、半円形等の抜テーパー付とし、中心間隔を条溝上幅の３〜６倍で等間隔に配設する。
粗面の場合は、おおむね３ｍｍ以下の山谷での荒目モルタル仕上げ、ゼロスランプコンクリート仕上、凸か凹のドット集合状とする。
ドットは等間水玉模様等に集合していて円錐台、球面状等でおおむね底面部での直径３〜５ｍｍ高さ１〜３ｍｍ中心間隔１０〜３０ｍｍとしている。
【００１５】  側溝両側立上り内面は垂直のため平滑であってもあと打ちコンクリートと当接して上方へ滑脱することもなく一定の拘束効果がある。それに加え、内底面は条溝によって付着面積が増加し、あと打ちコンクリートとの接合底面は粗骨材も含むモルタルが櫛歯状に喰込んで付着とグリップが向上する。
また粗面とする場合も、あと打ちコンクリートとの接合底面はモルタルが喰込んで付着とグリップが向上するので、あと打ち調整コンクリートは上面開放にかかわらず少なくとも碇着基部が三面で拘束固定され一体碇着する。
【００１６】  自由勾配施工の場合、上部開口のない門形側溝では、あらかじめフレーム１個毎かフレーム連続布設後に内底全長に沿って調整勾配の高さに埋設定規を固定するか調整コンクリート帯を先行形成する。
そして、門形側溝本体を据付接合と同時に一方の開口端からコンクリートを投入打設し、その都度埋設定規ないし調整コンクリート帯上辺面に合わせて長い柄のトンボやローラー作業具等で均し仕上げることで１個設置毎に自由勾配を形成し、順次連続して全体を完成する。
埋設定規は主にコンクリート埋設型枠材の平板等で側溝ブロック単体とほぼ同長とし、内底部フレーム面に高さ調整し固定する。
【実施例】
【００１７】  図１に実施例の施工状態を示す。
（１）はフレーム、（２）は側溝底部、（３）は門形側溝本体である。
フレーム（１）は、図３に示すとおり側溝底部に断続して条溝（５Ａ）を形成するもので両側下部には門形側溝を載置するフーチング（４）を設けてあり、まず上面を道路に合わせて基礎（３０）の上に固定勾配でフレームを布設する。
そして門形側溝本体（３）をフレーム両側フーチング（４）、（４）上にライナー（１７）モルタル（１８）を介して連続載置する。
自由勾配施工の場合には、さらに内底部へ排水勾配に合わせて調整コンクリート（１０）を打設し、自由勾配側溝を構築するのであるが図４は埋設定規（２０）を用い、図５は調整コンクリート帯（２５）を用いた場合である。【００１８】  この実施例の門形側溝本体（３）は図１、図２、図４、図５に示すように上部が複数の固定梁（１６）によって一体化され、雨水等の流入口となるスリット（１５）が設けされている。また蓋受開口部（６）を設けスリット付コンクリート蓋（７）がセットされている。
図６に示すフレーム（１）は通水底面を粗面（５Ｂ）としたものである。
【産業上の利用可能性】
【００１９】  本考案の門形側溝底部形成フレームは、固定勾配のみの施工にも適合し、一般流通門形側溝製品に適用でき、普及面での制約は生じない。
そして、門形側溝本体とフレームを生産工場内で組立ててボックス管渠製品として供給することも可能で、現場条件に対応して施工性を高めることができる。
さらに、型枠も従来からの一般品と同一であるため、生産供給においても在来の道路用コンクリート製品と同等に安価に流通する。
【符号の説明】
【００２０】１    フレーム
２    側溝底部
３    門形側溝本体
４    フーチング
５Ａ  条溝
５Ｂ  粗面
６    蓋受開口部
７    コンクリート蓋
１０  調整コンクリート
１５  スリット
１６  固定梁
１７  ライナー
１８  モルタル
２０  埋設定規
２５  調整コンクリート帯
３０  基礎
【図１】
0003179974.tif 000003
【図２】
0003179974.tif 000004
【図３】
0003179974.tif 000005
【図４】
0003179974.tif 000006
【図５】
0003179974.tif 000007
【図６】
0003179974.tif 000008
【手続補正書】
【提出日】平成24年9月5日(2012.9.5)
【手続補正１】
【補正対象書類名】実用新案登録請求の範囲
【補正対象項目名】全文
【補正方法】変更
【補正の内容】
【実用新案登録請求の範囲】
【請求項１】
底部両側のフーチング上に門型側溝本体を載置する構造の道路側溝において、調整コンクリートをあと打ちする底部形成フレームであって、通水内底フレーム面に直線の条溝を水流方向に沿って複数配列し櫛歯状断面部とした自由勾配兼用フレーム。
【請求項２】
底部両側のフーチング上に門型側溝本体を載置する構造の道路側溝において、調整コンクリートをあと打ちする底部形成フレームであって、通水内底フレーム面を粗面とした自由勾配兼用フレーム。